(57)【要約】      （修正有）【課題】簡単な操作で短時間に着脱ができ、装着時は軽量で動き易く、運動や行動の邪魔にならない防具を提供する。【解決手段】防具１００は、主面を有するエネルギー吸収層１と、エネルギー吸収層１の少なくとも主面側を覆う表皮層２と、エネルギー吸収層１の下面に設けられた貼付層３とを備える。エネルギー吸収層１の少なくとも一部が、複数の分割領域１ａに分割されており、主面と表皮層２の界面１２が自由に可動するように構成されていることを特徴とする。【選択図】図２
2020054626.tif 000002
【特許請求の範囲】
【請求項１】
主面を有するエネルギー吸収層と、
前記エネルギー吸収層の少なくとも前記主面側を覆う表皮層と、
前記エネルギー吸収層の下面に設けられた貼付層と、を備え
前記エネルギー吸収層の少なくとも一部が、複数の分割領域に分割されており、前記主面と前記表皮層の界面が自由に可動するように構成されていることを特徴とする防具。
【請求項２】
隣接する前記分割領域の間には溝が形成されており、前記溝は、前記エネルギー吸収層を主面から下面まで貫通していることを特徴とする請求項１に記載の防具。
【請求項３】
前記溝は、前記主面に第一の方向に沿って複数の第１の溝、及び前記第一の方向とは異なる第二の方向に沿って複数の第２の溝が形成されていることを特徴とする請求項２に記載の防具。
【請求項４】
前記分割領域は、前記表皮層との間に発生する摩擦係数を低減するために、下面から主面の方向にいくに従って幅が狭くなることを特徴とする請求項１〜３のいずれか１項に記載の防具。
【請求項５】
前記複数の分割領域の表面を覆う被覆層と、
前記被覆層を介して、前記複数の分割領域を接続する密着部と、をさらに備えることを特徴とする請求項１〜４のいずれか１項に記載の防具。
【請求項６】
前記エネルギー吸収層と前記表皮層と前記貼付層は、積層体を構成しており、前記積層体の装着後の形状を維持するための形状維持体をさらに備えることを特徴とする請求項１〜５のいずれか１項記載の防具。  
【請求項７】
前記貼付層は、基材及び貼付剤とから構成されており、前記基材は前記形状維持体を兼ねることを特徴とする請求項１〜６のいずれか１項に記載の防具。
【請求項８】
前記エネルギー吸収層と前記表皮層との間に潤滑層が設けられていることを特徴とする請求項１〜７のいずれか１項に記載の防具。
【請求項９】
前記表皮層は、一定以上の圧力を感じた部分の色が変化することを特徴とする請求項１〜８のいずれか１項に記載の防具。
【発明の詳細な説明】
【技術分野】
【０００１】
本発明は、防具に関する。          
【背景技術】
【０００２】
例えば、野球、またはソフトボール競技において、バットで打ったボールが打者自身の足に当たる自打球が、打者の前方に踏み出した足の脛部や足甲部に当たる場合があり、この自打球の衝撃による骨折や打撲などを負う可能性があるため、従来から打者が脛部と足甲部を自打球の衝撃から防護することを目的として、装着するレッグガードあるいはバッティングレガースなどと称される防具が知られている（特許文献１参照）。
【０００３】
スポーツ用品以外の例として、サポータにパッドを用いて身体の膝、肘等に装着して衝撃を吸収し保護するニーパッド、エルボーパッドなどと称される保護具が知られている（特許文献２参照）。
【先行技術文献】
【特許文献】
【０００４】
【特許文献１】特開２０１６−２１４７２７号公報
【特許文献２】特開２００３−２１３５０６号公報
【発明の概要】
【発明が解決しようとする課題】
【０００５】
特許文献１記載のレッグガードは、脛部の前面を防護する脛当て具、足甲保護部材と脛部の側面を防護する側面保護片とから構成されており、面状ファスナーを用いて脛当て具と緩衝用部材を脱着して使用するものであって、脛当て具の雄部と雌部を有するバックルによって連結可能としたベルトを脛部に巻き付けて装着するものである。
【０００６】
特許文献１の説明によると、このレッグガードは、脛部は脛当て具を用い、脛部側面は側面保護片を用いて防護しており、各々は脛当て具に用いた硬質保護板と側面保護片に用いた硬質樹脂製芯材にて打球の衝撃エネルギーを分散して受け、裏面に緩衝用部材を用いて下肢に装備されるものであって、脛部や足部など下肢への取着にはバンド、ベルト、バックルまたは面状ファスナーを用いて巻き付ける煩雑な装着を必要とし、更には、ふくら脛部の拘束感や締付感、足甲保護部材の連結などにより打撃や走塁に装着による負担を感じやすく、更に着脱を繰り返して防具を使用するため、その耐久性を満たすための素材の選択や設計により重量が嵩み、使用者である選手の自由な打撃や走塁のさまたげとなっている。
【０００７】
特許文献２記載のサポータは、身体の膝部や肘部の保護と衝撃を吸収し保護する緩衝用部材部を積層状に有したサポータを用いているが、着脱を繰り返して使用する際の行動やサポータバンドの拘束などにより着脱の煩わしさが有り、サポータの拘束感や締付感を感じる状態で装着するため、使用者の自由な運動などのさまたげとなっている。
【課題を解決するための手段】
【０００８】
本発明に係る防具は、主面を有するエネルギー吸収層と、前記エネルギー吸収層の少なくとも前記主面側を覆う表皮層と、前記エネルギー吸収層の下面に設けられた貼付層とを備え、前記エネルギー吸収層の少なくとも一部が、複数の分割領域に分割されており、前記主面と前記表皮層の界面が自由に可動するように構成されていることを特徴とする。
【０００９】
本発明に係る防具では、貼付層の粘着力または接着力を用いて貼付し装着するため、これまで多用されてきたベルト、バンドまたはバックルなどの装備用具を用いた際に生じていた、ふくら脛部、足部、腕裏部および肘関節部などで生じる拘束感や締付感なしに装着できるため、打撃や走塁において使用者の自在なパフォーマンスを披露することができる。また、エネルギー吸収層の少なくとも一部が、複数の分割領域に分割されており、主面と前記表皮層の界面が自由に可動するように構成されているので、ふくら脛部、足部、腕裏部および肘関節部などの体の湾曲部に合わせて防具の形状を自由に変形できるので、これらの部位にフィッテイングして装着することができる。
【００１０】
また、本発明に係る防具では、隣接する前記分割領域の間には溝が形成されており、前記溝は、前記エネルギー吸収層を主面から下面まで貫通していることを特徴としてもよい。
【００１１】
本発明に係る防具では、湾曲度が大きい部位に貼付する場合に、衝撃を受けた際にエネルギー吸収層の裂けを防止することができる。
【００１２】
また、本発明に係る防具では、前記溝は、前記主面に第一の方向に沿って複数の第１の溝、及び前記第一の方向とは異なる第二の方向に沿って複数の第２の溝が形成されていることを特徴としてもよい。
【００１３】
本発明に係る防具では、肘や膝等の身体の湾曲している部位に対して、防具を的確に取着することができる。
【００１４】
また、本発明に係る防具では、前記分割領域は、前記表皮層との間に発生する摩擦係数を低減するために、下面から主面の方向にいくに従って幅が狭くなることを特徴としてもよい。
【００１５】
本発明に係る防具では、表皮層との間に発生する摩擦係数を低減することができるので、エネルギー吸収層の主面と表皮層の界面がより自由に可動するようにすることができる。この結果、体の湾曲部に合わせて防具の形状を一層自由に変形することができ、容易に部位にフィッテイングして装着することができる。
【００１６】
また、本発明に係る防具では、前記複数の分割領域の表面を覆う被覆層と、前記被覆層を介して、前記複数の分割領域を接続する密着部とをさらに備えることを特徴としてもよい。
【００１７】
本発明に係る防具では、複数の分割領域の表面を被覆層で覆い、さらに、エネルギー吸収層の分割領域を密着部により接続している。このように密着部により、分割領域を接続し一体化することによって、エネルギー吸収層の分割領域の主面が一体で動くため、表皮層との間に発生する摩擦係数を低減することができる。従い、表皮層の界面がより自由に可動するように構成することができる。この結果、体の湾曲部に合わせて防具の形状を一層自由に変形することができ、容易に部位にフィッテイングして装着することができる。
【００１８】
また、本発明に係る防具では、前記エネルギー吸収層と前記表皮層と前記貼付層は、積層体を構成しており、前記積層体の装着後の形状を維持するための形状維持体をさらに備えることを特徴としてもよい。形状維持体を備えることにより、積層体の装着後の形状を維持することができる。
【００１９】
また、本発明に係る防具では、前記貼付層は、基材及び貼付剤とから構成されており、前記基材は前記形状維持体を兼ねることを特徴としてもよい。
【００２０】
また、本発明に係る防具では、前記エネルギー吸収層と前記表皮層との間に潤滑層が設けられていることを特徴としてもよい。潤滑層により表皮層との間に発生する摩擦係数を低減することができるので、エネルギー吸収層の主面と表皮層の界面がより自由に可動するようにすることができる。この結果、体の湾曲部に合わせて防具の形状を一層自由に変形することができ、容易に部位にフィッテイングして装着することができる。
【００２１】
また、本発明に係る防具では、前記表皮層は、一定以上の圧力を感じた部分の色が変化することを特徴としてもよい。表皮層の発色の有無、或いは発色の程度により、防具の再度装着の可否を容易に判断することができる。
【発明の効果】
【００２２】
野球あるいはソフトボールにおいて防具を適用した際の効果事例として、本発明の防具は貼付層の粘着力または接着力を用いて貼付し装着するため、これまで多用されてきたベルト、バンドまたはバックルなどの装備用具を用いた際に生じていた、ふくら脛部、足部、腕裏部および肘関節部などで生じる拘束感や締付感なしに装着できるため、打撃や走塁において使用者である選手が競技に集中したパフォーマンスを披露することができる。
【図面の簡単な説明】
【００２３】
【図１】図１は、本実施形態に係る防具の構成を概略的に示した図である。基本となる積層構造体の構成を示している。
【図２】図２は、本実施形態に係る防具の構成を概略的に示した図である。溝を有する積層構造体の構成を示している。
【図３】図３は、本実施形態に係る防具の構成を概略的に示した図である。図３の（１）部はエネルギー吸収層の途中で留まる溝を示しており、図３の（２）部は、図３の（１）部に示した防具に外力を印加したときの状態を示す図である。図３の（３）部は、エネルギー吸収層を貫通させた溝を示しており、図３の（４）部は、図３の（３）部に示した防具に外力を印加したときの状態を示す図である。
【図４】図４は、本実施形態のエネルギー吸収層の構成を概略的に示した図である。図４の（１）部は、第一の方向に延伸する第１の溝を有するエネルギー吸収層の構成を示している。図４の（２）部は、図４の（１）部に示した防具に外力を印加したときの状態を示す図である。図４の（３）部は、第一の方向と第二の方向に延伸する第１の溝及び第２の溝を有するエネルギー吸収層の構成を示している。図４の（４）部は、図４の（３）部に示した防具に外力を印加したときの状態を示す図である。
【図５】図５は、本実施形態に係る防具の構成を概略的に示した図である。溝を有する積層構造体の構成を示している。
【図６】図６は、本実施形態に係る防具の構成を概略的に示した図である。エネルギー吸収層の下面から主面の方向に、エネルギー吸収層の分割領域の幅が狭くなる構成を示している。
【図７】図７は、本実施形態に係る防具の構成を概略的に示した図である。エネルギー吸収層の表面を被覆層で覆う構成を示している。
【図８】図８は、本実施形態における形状維持体の構成を示した図である。
【図９】図９は、本実施形態に係る防具の装着状態を示した図である。防具は、第一の方向の溝を有している。
【図１０】図１０は、本実施形態に係る防具の装着状態を示した図である。防具は、第一の方向と第二の方向にそれぞれ延伸する第１及び第２の溝を有している。
【図１１】図１１は、防護パッドの使用形態を示した図である。
【図１２】図１２は、防護パッドを脛部および足部の防具に使用した例を示す図である。
【図１３】図１３は、防護パッドを肘部および腕部の防具に使用した例を示す図である。
【図１４】図１４は、防護パッドを顎部、側顔部の防具に使用した例を示す図である。
【図１５】図１５は、防護パッドを手部の防具に使用した例を示す図である。
【図１６】図１６は、防護パッドを野球の野手（主に投手）の防具に使用した例である。
【図１７】図１７は、防護パッドをモータースポーツ用チェスパッドに使用した例を示す図である。
【図１８】図１８は、防護パッドをモータースポーツ用チェスパッドに使用した例を示す図である。
【発明を実施するための形態】
【００２４】
以下、本発明の構造および構成を図１〜１０のモデル図を用いて示し、実施の形態を図１１〜１８に実施例として説明する。
【００２５】
本発明による防具１００の基本となる構成を図１の概略図を用いて示してある。外部から加わる衝撃を主にエネルギー吸収層１にて吸収し、その主面側に表皮層２、下面側に貼付層３を伴い形成した積層体１０１を用いることを基本とした構成になっている。
【００２６】
従来から防具１００の多くの種類は、身体の表面の主に湾曲した身体の部位にバックル、ベルトまたはバンドなどの装備用具を用いて装着するものであったが、本発明では粘着剤、接着剤または面ファスナーなどを用いた貼付層３を用い、その着脱を軽易かつ瞬時に行えるとともに、バックル、ベルトまたはバンドなどの装備用具を用いないで着脱をすることが可能となり、これまでベルトまたはバンドなどの使用により感じていた拘束感や締付感を感じ取ることを無くすとともに、それらの部品削減により重量を大幅に軽減でき、使用者が狙った動作やパフォーマンスをより可能とする構成になっている。
【００２７】
身体の表面が平坦な部位には図１の（１）部に示した基本の積層体１０１を用いることが可能であるが、それを使用できる部位は上半身の前後面の一部に限られ、他の部位は体軸や四肢軸を中心として外側に湾曲した外殻/皮膚で囲まれており、例えば腕部、肢部などの身体８に対して、図１の（２）部に示した様に、基本の防具１００をそのまま貼付した状態では、使用者の運動や挙動に応じてエネルギー吸収層1を主とした積層体１０１には内部応力１０が溜まっているため、時間の経過や使用者の動きに伴って元の形状に戻ろうとする図１の（３）部の（ａ）から（ｂ）の動きを示し、湾曲部や関節部などの屈曲する積層体１０１の構成には内部応力を解放するための特別な工夫と配慮が必要であった。
【００２８】
本発明では、外部から加わる衝撃、例えば野球においては自打球や投手の投球の衝撃などを受ける防具として、また他の競技の防具、例えば格闘競技では攻撃道具による打撃の衝撃などを受ける防具として、エネルギー吸収層１を主とした積層体１０１を用いて衝撃を緩和する際に、“湾曲部や関節部への装着時に生じることになる内部応力１０を緩和させることが出来る構造”を予め付与しておくことにより、使用者・選手が競技などに用いる際に積層体１０１の剥がれの発生を予防することが身体の殆どの部位において可能となり、従来は必要とされたバックル、ベルトまたはバンドなどの装備用具を用いることによって生じていた煩わしい着脱行動が、貼付層３を用いることによって、瞬時で簡単な手使いだけで装着を可能とし、また装備用具を無くしたことにより拘束感や締付感を感じることを無くすことを可能とした。
【００２９】
本発明による防具１００の基本となる構成を示した図１の概略図の中の図１の（１）部の断面図において、エネルギー吸収層１の主面１-１に表皮層２、下面１-２に貼付層３が積層状に配置されたことを示したものであり、エネルギー吸収層１に発泡樹脂を用いると、外部からの衝撃に対して発泡樹脂体同士が気泡の反発で緩衝して、主に外部からの衝撃エネルギーを吸収するのと同時に、衝撃エネルギーに耐え切れない一部の樹脂膜が破裂することでエネルギーを吸収してくれる。
【００３０】
このとき、表皮層２は、最初に衝撃エネルギーを受ける板状のもので、衝撃エネルギーの一部をこの部位にて分散させて吸収し、エネルギー吸収層１の下面１−２にある貼付層３を用いて衣類、他の防具、または使用者の肌へ貼付するものである。                  
【００３１】
図１の（２）部の断面図は、本発明の積層体１０１を身体８の表面、例えば腕とか脛に貼付層３を介して貼付したものであり、主にエネルギー吸収層１を用いて外部からの衝撃エネルギーを吸収するものであるが、図１の（３）部の（ａ）に示したように平板状の積層体１０１を曲げて貼付する必要があり、多くの場合は外部からの衝撃を受ける前に、図１の（３）部の（ｂ）に示したように積層体１０１の内部応力によりもとの平板の状態に戻ろうとするため、それに伴い貼付層３が衣類や肌から剥がれる現象が起きてしまう。
【００３２】
その剥がれ現象を避けるための対応策として、貼付層３の貼付力の性能を上げる対策法、または積層体１０１全体の内部応力１０を予め緩和して積層体１０１が曲がったとしてもその曲がった状況を維持させて貼付層３が衣類や肌から剥がれることを防ぐ対策法、のどちらかを用いて剥がれ現象を予防する必要があった。
【００３３】
本発明は後者の対策法を用いており、その剥がれ現象を避けるため、エネルギー吸収層１を複数の分割領域１ａに分け、隣接する分割領域１ａの間には、予め所定の第一の方向に延伸する第１の溝５-１を設定し、表皮層２との界面１２が自由に可動するように構成してあり、そのモデル断面図を図２に示したものであって、図２の（１）部に示したモデル図は溝５を設け、エネルギー吸収層１の両端は積層体１０１の表面（５面）を保護する被覆カバー４-１と接合したものである。  
【００３４】
これ以降の説明に用いる外力＝引張力は、湾曲の部へ貼付する際に、積層体１０１が「引っ張られ」「身体に沿わす」という２つの外力によって生じる応力のうちの代表として用いており、溝５の開口により内部の応力を緩和するものであって、図２の（２）部は、その積層体１０１に引張力９を掛けることにより、外力によってＩ字型の溝５-３の表面に溝部の開口部６が現われてエネルギー吸収層１が複数の分割領域１ａに分割され、同時にエネルギー吸収層１に内在する一部の泡体が引張力よって変形されることにより、外力方向に伸ばされて厚みが減少するが、表皮層２との界面１２が自由に可動するように構成したため、殆どの部分がそのままの形状を保って被覆カバー４-１内に保持された状態になる。  
【００３５】
図２の（３）部は、表皮層２とエネルギー吸収層１との境界を拡大した図であって、通常は表皮層２に用いる素材面とエネルギー吸収層１に用いる素材面とのダイレクトタッチで用いることができるが、更に接触面の摩擦を下げて、よりスムーズな動きを促進したい場合は、この界面１２に潤滑層１３を用いることでその効果が得られるが、その潤滑層１３には液体潤滑剤、半固体状潤滑剤、または固体潤滑剤のどれを用いても良く、また潤滑シートを貼付して用いることも可能である。
【００３６】
図２の（４）部は、エネルギー吸収層１の両端は積層体１０１の側面を保護する被覆カバー４-２と接合されているモデル図を示しており、そこで用いる溝５の構造として、Ｉ字型の溝５-３、Ｖ字型の溝５-４、Ｕ字型の溝５-５、または逆Ｖ字型の溝５-６を用いたモデル図であり、Ｉ字型の溝５-３は主に表皮層側を開いて用いる用途、Ｖ字型の溝５-４は主に肘や膝の関節部のカップ形状に予め表皮層側を閉じて用いる用途、Ｕ字型の溝５-５は主にエネルギー吸収層１と表皮層２との間の摩擦係数を低くして用いる用途、そして逆Ｖ字型の溝５-６は主に屈と伸の両方を伴う用途に用いることが好ましい。
【００３７】
また、エネルギー吸収層１を複数の分割領域１ａに分割された領域の間に形成した溝５として、図３の（１）部に示したエネルギー吸収層１の途中で留まる溝５-７の方が積層体１０１を形成する工程上の都合、あるいはエネルギー吸収性に優れるため使い易いが、湾曲度が大きい部位に貼付する必要がある場合は、衝撃を受けると内部応力が大きいことに起因して、図３の（２）部の様にエネルギー吸収層１の裂け１１が発生する場合が発生するため、図３の（３）部に示した前記エネルギー吸収層１内を予め貫通させて貼付層３に到達した溝５-８を用いることで、図３の（４）部に示した様にエネルギー吸収層１の裂け１１の発生を抑えることができる。
【００３８】
この事例の学習から、Ｖ字型溝５-４をエネルギー吸収層１の途中で留めて用いる場合は、その先端を鈍角にして破断の感受性を抑えることが好ましく、貼付層３に用いる粘着剤または接着剤には、布、不織布、または樹脂などのフレキシブルな素材を用いた基材に塗布または含浸したものを用いて、溝５-１、５-２からの破断が貼付層３まで進行することを防ぐことが好ましい。
【００３９】
積層体１０１はその保持している貼付層３によって、衣類、他の防具、或いは使用者の肌等に直接貼付されているため、本来は引張りまたは圧縮により生ずる応力を緩和し、使用者の運動挙動に追随することを可能とする構成が必要とされるため、その内部応力緩和に対応するエネルギー吸収層１の構成が必要であるが、身体において圧縮の挙動は脇などの部位において発生するが、これらの部位は防具を殆ど必要としない部位であるため、本発明では引張りの外力に関して主に考慮した事例を示した。その防具１００のエネルギー吸収層１の溝５の挙動を示すため、図４の見取り図を用いて、（表皮層２を外した状態の）エネルギー吸収層１の外力による動きを示した。
【００４０】
身体の殆どの部位は身長方向には縦長で、円周方向には体軸や四肢軸を中心として放射線状に身体が作られており、その外殻部の殆どの部位は湾曲しているのが通常であるため、それらの部位へ本発明の積層体１０１を的確に取着する為の方法として図４の（１）部の見取り図に示す様に、エネルギー吸収層１が所定の第一の方向に延伸した溝５-１を有した積層体１０１を用いれば良く、図４の（２）部には横方向の引張力９-１に対して、溝部が解放されて開口６することによって、その内部応力を管理するモデル図として例示してある。
【００４１】
肘、膝などの関節部は、防護するのに特に防具１００を必要とされる部位であるとともに、これらの部位は二方向の応力への対応が必要であり、図４の（３）部の見取り図に示す様に、第１の溝５-１と交差する第二の方向に延伸した第２の溝５-２を有したエネルギー吸収層１を必要とし、図４の（４）部は、横方向の引張力９-１と縦方向の引張力９-２に対して両方向の溝が解放されて開口６し、その内部応力管理するモデル図として例示してある。
【００４２】
図５は、エネルギー吸収層１の主面１-１との界面１２が自由に可動するように構成した表皮層２を、図５の（１）部に示す様に予めエネルギー吸収層１が広がった時のサイズに拡大した積層体１０１を用いたもので、衝撃吸収後の積層体１０１が図５の（２）部の様にエネルギー吸収層１の主面と表皮層との界面１２で滑って延びている構成を示している。
【００４３】
図６は、もう一つのエネルギー吸収層１の構成を示しており、図６には下面から主面の方向に行くに従って幅が狭くなる分割領域１ｂを用いて摩擦係数を下げる手法の事例を示してあって、同時に第一の方向に延伸する第１の溝５-１と、第二の方向に延伸する第２の溝５-２によって形成され、並行して縦列と横列をなす釣鐘型錐体の先を表皮層側に配した釣鐘型錐体のエネルギー吸収層１の断面図も表現している。
【００４４】
図６の（１）部は下面から主面の方向に行くに従って幅が狭くなる分割領域１ｂの釣鐘形の幅がまだ狭くなっていない平坦部分にのみに被覆カバー４-１との接合部７を設けた構成であって、この場合は外力である引張力を掛けた場合は図６の（２）部に示す様に、下面から主面の方向に行くに従って幅が狭くなる分割領域１ｂの厚みが低減することになるが、図６の（３）部で示した釣鐘形の全体に被覆カバー４-１との接合部７を設けた構成を用いると、外力である引張力を掛けた場合は図６の（４）部に示す様に、下面から主面の方向に行くに従って幅が狭くなる分割領域１ｂの厚みが低減することが殆ど無く、第一方向の溝５-１だけの場合は釣鐘形の波板が孔雀型に広がり、また第一方向と第二方向の交差する溝５-１、-２の場合は釣鐘型錐体が菊花蕪型に開くように形成されている。
【００４５】
図７は、エネルギー吸収層１の分割領域１ａの表面に被覆層１４を形成した構成を示している。本実施形態では、被覆層１４を介して、各分割領域１ａが密着部１４−２により接続されている。密着部１４−２は、エネルギー吸収層１の分割領域１ａの上面、及び側面をシート状の被覆層１４−１で覆い、例えば、主面１-１から下面１-２まで貫通した溝５-８に位置する被覆層の一部または全部を融着、縫合、または接着により形成することができる。
【００４６】
図７の（１）部に示した様に、本実施形態では、複数の分割領域１ａの表面を被覆層１４で覆い、さらに、エネルギー吸収層１の分割領域１ａを密着部１４−２により接続している。このように密着部１４−２により、分割領域１ａを接続し一体化することによって、エネルギー吸収層１の分割領域１ａの主面１−１が一体で動くため、表皮層２との間に発生する摩擦係数を低減することができる。従い、図７の（２）部に示した様に表皮層２の界面がより自由に可動するように構成することができる。この結果、体の湾曲部に合わせて防具１００の形状を一層自由に変形することができ、容易に部位にフィッテイングして装着することができる。また、被覆層１４により防具１００の端部に現れる表皮層２及び貼付層３の側面を被覆するようにしてもよい。このとき、防具１００の端部を被覆する被覆層１４は、防具１００の周囲を覆う被覆カバー４-２を兼ねることができる。また、複数の分割領域１ａの表面全体が被覆層１４で覆われるように、被覆層を形成してもよい。この場合は、まず、複数の分割領域１ａの表面全体を被覆層１４で覆い、その後、複数の分割領域１ａの底面を貼付層３に固定することにより、エネルギー吸収層１を形成してもよい。
【００４７】
また、積層体１０１を実際にユニフォームや着衣の上に装着した際には、積層体１０１の残留内部応力によって形状を保持できなくなる場合が有り、装着後に湾曲した部位に沿った形状を想定通リに維持するのが難しいケースが出てくるため、図７に示した形状維持体６０をエネルギー吸収層１と貼付層３の間、または貼付層３の基材に用いて形状を保つための形状維持体６０を設けることもある。
【００４８】
図８に大きく分けて２種類の形状維持体６０を示しており、まず平板状に用意された積層体１０１を装着する際、対象となる部位の形状に沿わせて貼付する際に維持体自体が沿わせた形に変形し、その形状をそのまま維持させる形状維持体６０と、次に貼付する部位の形状を事前に想定した形に予め形成して用意しておく形状維持体６０の２つのタイプの形状維持体がある。
【００４９】
前者の維持体自体が沿わせた形に変形させる事例として、金属材料の塑性変形を利用した形状維持体６０があり、図８の（１）部、（２）部には六角のメタルメッシュ６１と四角のメタルメッシュ６２を用いた事例を示してあるが、それらはワイヤー組み加工、パンチング加工して形成したもの、あるいはその角形状を立体的に加工したもの、または予め装着後の形状に変形付与した形状のメタル材を使うこともできる。
【００５０】
また、前者のもう一つの事例として、メタル薄板の一部に間隔を置いて肉厚形状部６４、例えば図８の（３）部に示したワイヤーなどの形の部位の設置、またはメタル薄板をある間隔で屈曲させて板厚部を形成させた部位を設け、装着時に変形した形を保持する加工を施した形状維持体６３、あるいは図８の（４）部に示した、フレキシブルな動きをするコマの連続体を用いて装着時に変形した形を保持する形状維持体６６を用いることなどにより形状を維持する形状維持体６５を設けるケースがある。
【００５１】
後者の貼付する部位の形状を事前に想定した形に予め形成して用意しておく事例として、図８の（５）部に示した事例では、紙、樹脂または金属素材を用いて予め装着後の形状を付与し形成した形状維持体６７を用いた事例、あるいは図１０の（１）部に示した事例の様に、肘部の表皮層２そのものに予め装着後の椀状の形状を付与し形状維持体６８としての機能を当初から備えて積層体１０１の形状を維持する手法を用いた事例などがある。
【００５２】
図９の（１）部は防具１００である防護パッド１６の着装前の状態を示した表面図であって、図９の（２）部の様に防護パッド１６を着装する際に、所定の方向に延伸した溝５-１が開口６して内部応力を低減した装着前の状態を示しており、前記において身体の殆どの部位は身長方向には縦長、円周方向に関して外殻部の殆どの部位は湾曲していることを紹介したが、その一例として図９の（３）部に防護パッド１６を脛部に貼付した形態を示した。  
【００５３】
図９の（３）部では、ユニフォームやストッキングの衣類７０に貼り付けるのに貼付層３を用いるため、従来必要とされたバックルやベルトを使わなくて良い状態を示しており、図９の（４）部は所定の第一の方向に延伸した溝５-１を有した防護パッド１６を脛部（大腿部、上下腕部なども同じ）の断面が輪状の身体１５に貼付した状態の防具１００として用いる事例であるが、防具１００は貼付した衣類７０と身体１５の肌との間にスペース７１を確保できるため、ベルトやバンドの締付で生じていた衣類と身体の密着状態がなくなり、その結果として打順の待ち時間や打席でこれまで“密着”により生じていた“蒸れ”の不快を感じることがなくなり、スポーツ選手は競技に集中し集中してパフォーマンスを高めることができ、あわせて長期使用で生じる汗などの匂いの付着を無くすことができる事例である。
【００５４】
図１０は、所定の第一の方向に延伸した第１の溝５-１と交差する第二の方向に延伸した第２の溝５-２を有した積層体１０１を関節部に用いた事例を示しており、肘や膝などの関節部の複雑な形状に対しても例えば図１０の（１）部には予めカップ状に形成した表皮層６８を用い、上/下腕部に貼付層３を設けて肘部に装着した事例であって、あるいは、図１０の（２）部は肘自体に直接貼付層３を用いて装着した事例であるが、複雑な運動挙動を示す部位に対しても交差する溝部の開口６によって装着を行える構成を示している。
【００５５】
本発明のエネルギー吸収層１には、例えばポリエチレン、ＥＶＡ、ポリスチレン、ポリウレタン、ポリプロピレン、もしくはＰＥＴ樹脂からなる発泡体・気泡体、天然もしくは合成ゴム発泡体で２５％圧縮応力が３〜５００ｋＰａの範囲の物性を備えることが好ましく、あるいは、紙（段ボール）、ストーンペーパー、不織布もしくはポリエチレン、ポリプロピレン、ポリスチレン、ＰＶＣ、またはＡＢＳ樹脂からなる立体衝撃吸収構造体を用いた前記エネルギー吸収層１を用いることもできる。
【００５６】
本発明の表皮層２には、通常はポリエチレン、ポリプロピレン 、ポリスチレン 、ポリ塩化ビニル、ABS樹脂 、ポリエチレンテレフタラートなどを用いた樹脂板を用いるが、形状のフレキシビリティーを付与したい用途には、シリコン系またはウレタン系のゴム板や樹脂板などを用いることができ、あるいは安価な用途には紙あるいは不織布なども用いることができ、反対に強度を必要とする部位にはポリアミド、ポリアセタール、ポリカーボネート、ポリブチレンテレフタレートなどを用いた樹脂板を用いることが好ましく、意匠上の見栄えを得るためにカーボンファイバー強化プラスチックなどを用いてスポーティー感を付与することも可能である。
【００５７】
本発明の貼付層３には、通常は剥離紙でカバーを行い保管されている粘着貼付層または接着貼付層を貼付する相手の衣類の素材や肌の部位によって選択するものであるが、粘着貼付層としてはアクリル系粘着剤、ゴム系（天然ゴム／合成ゴム）粘着剤、シリコン系粘着剤、またはウレタン系粘着剤などの中から選ばれた粘着剤、接着貼付層としてはアクリル樹脂系接着剤、ゴム系接着剤、ウレタン樹脂系接着剤、エチレン-酢酸ビニル樹脂系接着剤、クロロプレンゴム系接着剤、酢酸ビニル樹脂系接着剤、シリコン系接着剤、スチレン-ブタジエンゴム系接着剤、ニトロセルロース接着剤、ポリウレタン樹脂系接着剤、ポリ酢酸ビニル樹脂溶液系接着剤、ポリスチレン樹脂溶剤系接着剤、またはポリビニルアルコール系接着剤などの中から選ばれた接着剤を用いることが好ましい。
【００５８】
また、貼付層３に面ファスナー、または面ファスナーのＡ面（フック側）のみを用い、衣類に物理的に付ける手法も用いられるが、Ａ面単独で使用の際にはフックを通常より長くしフック曲げ量を少なくしたもの、またはフックを二股にして用いると、ユニフォームなどへ取り付けがし易く、ユニフォームなどから取り外し時に絡み付きを少なくして、使用者の衣類への着脱が容易になる。
【００５９】
加えて、被覆カバー部４にはフレキシブルな素材が目的に適すため、紙、不織布やストーンペーパー、またはそれらに柔らかさを加味した素材または加工を施したもの、あるいは伸縮機能を備えた繊維として例えばポリウレタン弾性繊維、仮撚加工糸、またはポリエーテルエステル系弾性などの弾性ファブリック、あるいはシリコン系、ポリウレタン系やゴム系の樹脂などを用いること、また被覆層１４にも紙、不織布やストーンペーパー、またはそれらに柔らかさを加味した素材または加工を施したもの、またはそれらに柔らかさを加味した素材または加工を施したもの、あるいはそれらに潤滑性を加味した素材または加工を施したもの、更にはポリエチレン、ポリプロピレンなどのポリオレフィン系、またはポリ塩化ビニル系などの樹脂フィルム、あるいは伸縮機能を備えた弾性ファブリックなどを用いることが好ましい。
【００６０】
図１１以降には、本発明の防具１００を野球競技用の防護パッド１６として用いた使用例を示した。
【００６１】
使用者・選手は、数種類の形状の防護パッド１６の中から使用者・選手が必要とするサイズの防護パッド１６を選択し、必要とされる部位（図１１の事例においては、脛部と足部）に貼り付け（Ａ）、打撃に使用し、使用後は回収ボックス１９にて回収し（Ｃ）リサイクルを行うことになる。
【００６２】
しかし、自打球を受けなかった場合は、貼付層３以外はそのまま使えるため、使用者・選手は防護パッド１６を剥がし（Ｂ）、次の打順で貼付層３の粘着/接着力が再使用に耐えるかどうかの程度によって、噴霧のり１７を用いて粘着/接着力を付加することができ、場合によってはリムーバー１８を用い前回使用した一部または全部の粘着/接着剤を一度除去してから、粘着/接着剤を再付加して粘着/接着力を再生（Ｄ）させて再度装着する（Ａ）ことができる。尚、面ファスナ―の場合はそのまま再使用することができる。
【００６３】
使用者・選手が自打球を受けた場合、または貼付力の回復ができなかった場合は回収ボックス１９にて回収し（Ｃ）、積層体１０１が簡単な構成であって、容易にリサイクルができるが、プロ野球などでは、記念のサインを付けてファンサービスとして野球ファン２０に配布すること（Ｅ）も可能である。        
【００６４】
上記での再度装着の可否を判断するために、一定以上の圧力を感じた部分の色が変化する、例えば色素を有したマイクロカプセルを表皮層２または、被覆カバー４に保持させ、打球を受けた際にカプセルの壁が破壊して色を呈する手段、あるいは感圧で色が変化する感圧フィルムを用いることにより、その発色の有無、或いは発色の程度により、その判断を行う事も可能である。  
【００６５】
＜実施例１＞
図１２には本発明の防具１００を野球競技用の防護パッド１６として下脚部で使用する例を示しており、図１２の（１）部は現行のレッグガードと同様の面形状を用い、脛部を防護する自打球防護パッド２１、足部を防護する自打球防護パッド２２であって、貼付層３を介して防具１００として装備した使用事例であり、バックルやベルトの装備を不要とし、重量の大幅な軽減によって、使用者・選手がその装着感を殆ど感じることなく、打撃や走塁に集中ができてパフォーマンスを上げることを可能としている。
【００６６】
図１２の（２）部は、脛部の脛骨側面を主に防護する自打球防護パッド２３、および第５〜第４指骨を主に足部側面を防護する自打球防護パッド２４であって、貼付層３を介して防具１００として装備した使用事例でありであり、図１２の（１）部の事例に対して更に重量の軽減と、プレーの邪魔になることを避け、使用者・選手がその装着感を更に感じることなく、打撃や走塁に集中ができて、更にパフォーマンスを上げることを可能としている。
【００６７】
図１２の（３）部は、図１２の（２）部とは反対に脛部とふくら脛部を更に広く防護する自打球防護パッド２５、および第５〜第１指骨の足部全面を防護する自打球防護パッド２６であって、貼付層３を介して防具１００として装備した使用事例であり、図１２の（１）部、（２）部の事例に対して防護域を拡げたものであるが、使用者・選手は依然として、その装着感を殆ど感じることなく、打撃や走塁に集中ができて、更にパフォーマンスを上げることを可能としている。
【００６８】
図１２の（１）部、(２)部、（３）部の事例において、頸部だけに防護を行い足部の防護を必要としない使用者・選手は、頸部保護の片方のみの使用で、足部に装着をしないでプレーができ、また、本発明の防具１００は貼付層３を用いて貼付するため、ベルトの巻き付けやバックルを用いた組付操作の必要がなくなり、使用者はワンタッチで、衣類、他の防具または肌上への易・速着脱を可能としている。
【００６９】
＜実施例２＞
図１３には、本発明の防護パッド１６の椀部での使用例を示した。
図１３の（１）部は、現行のエルボーガードの中の一つと同様の面の形状で、上腕部から肘部を防護するデッドボール球防護パッド３１であって、貼付層３を介して防具１００として装備した使用事例であり、バックルやベルトの装備用具を不要とし、重量の大幅な軽減によって、使用者・選手がその装着感を殆ど感じることなく、打撃や走塁に集中ができてパフォーマンスを上げることを可能としている。
【００７０】
図１３の（２）部は、上腕部を主に防護するデッドボール球防護パッド３２と、肘部を主に防護するデッドボール球防護パッド３３であって、貼付層３を介して防具１００として装備したものであり、図１３の（１）部に対して、使用者・選手が防護したいエリアを広げて確実に防護する使用事例で、装備カ所が増えてもバックルやベルトの装備用具を不要としてあるため、使用者・選手がその装着感を殆ど感じない程度で、打撃や走塁に集中ができてパフォーマンスを上げることを可能としている。
【００７１】
図１３の（３）部は、図１３の（２）部とは反対に下腕部を主に防護するデッドボール球防護パッド３４を用いて、使用者・選手が防護したいエリアを確実に防護する使用事例であり、使用者・選手の選択で３２〜３４の防護パッドを組み合わせて腕部全体を防護する事も可能とし、装備カ所が増えてもバックルやベルトの装備用具を不要としてあるため、使用者・選手がその装着感をあまり感じない程度で、打撃や走塁に集中ができてパフォーマンスを上げることを可能としている。
【００７２】
＜実施例４＞
図１４には、本発明の防護パッド１６の頭部での使用例を示した。一部の選手は、顔面、特に顎部へのデッドボールを防護するためにフェースガードを耳フラップヘルメット４１に取り付けてプレーしているが、図１４の（１）部は、フェースガードの代替として、顎部を主に防護するデッドボール球防護パッド４２を貼付層３を介して防具１００として装備した使用事例であり、ヘルメットの動きに連動してフェースガードが動くことが無いため、視野を邪魔されることを無くすことができ、更にはフェースガード分の重量を大幅に軽減できるため、使用者・選手が打撃や走塁に集中ができてパフォーマンスを上げることを可能としている。
【００７３】
図１４の（２）部は、現時点の野球規則では使用はできないが、将来の規則変更を想定した装着事例であって、本発明の防護パッド１の顎部に加えて耳部の防護を前提とした使用例を示した。これはフェースガードに加え耳フラップの代替として、顎部および耳部を防護するデッドボール球防護パッド４３に貼付層３を介して防具１００として装備した使用事例であり、ヘルメットの動きに連動して防護パッド４３が動くことが無いため、更なる視野の妨害を阻止する事が出来る上、大幅な重量の軽減によって、使用者・選手が耳フラップヘルメットによる締め付け感や装着感を感じないで、打撃や走塁に集中ができてパフォーマンスを上げることを可能としている。
【００７４】
＜実施例５＞
図１５には、本発明の防護パッド１の手部での使用例を示した。一部の選手の中には、手部、主に手の甲へのデッドボールを防護するために手甲プロテクターまたはハンドベルトを取り付けてプレーしているが、図１５の（１）部はその代替として、手の甲部を主に防護するデッドボール球防護パッド５１の貼付層３を介して防具１００として装備した使用事例であり、使用者・選手がその装着感をあまり感じない程度で、打撃や走塁に集中ができてパフォーマンスを上げることを可能としている。
【００７５】
さらに、手の甲部に加え、図１５の（２）部には手の指部を防護するデッドボール球防護パッド５２（５１を大きくして、指部に迫り出させたもの）、または手首部を防護するデッドボール球防護パッド５３、あるいは逆の手の指部を防護するデッドボール球防護パッド５４を装備した使用事例であり、使用者・選手がその装着感を感じない程度で、打撃や走塁に集中ができてパフォーマンスを上げることを可能としている。
【００７６】
＜実施例６＞
図１６には、本発明の防護パッド１を野手、特に投手の被打球に対応する為の使用例を示した。投手が投げた球が、打者の打撃によって瞬時に投手の方向打ち返された場合に捕球ができない場合、あるいは、グラブで捕球ができない場合に別の手を防御なしに出してしまい、その手や腕部に骨折や重度の打撲などを負う可能性があるため、その被打球防護パッド５５を脛部に装着する事例を紹介しており、部位は脛部に限らず投手が要望する足〜頭部に至る部位に貼付層３を介して防具１００として装備できるため、使用者・投手がその装着感をあまり感じないで、投球に集中ができてパフォーマンスを上げることを可能としている。
【００７７】
＜実施例７＞
野球以外のスポーツにおいても、例えばバイクやＢＭＸ競技のチェストプロテクター、フェンシングのプロテクターや女子用胸部防具１００、空手や武道、テコンドーなどの打撃系格闘技の胸腹部への衝撃を軽減させる防具１００など数多くの防護または保護を必要とする競技に、拘束感や締付感を感じない、軽量で着脱が簡易な防具１００としての適用が可能であって、図１７はその一例として、本発明の防具１００または防護パッドをモータースポーツ、特にバイクやBMXで装着するチェストパッド８２の代替え使用例を示した。
【００７８】
チェスト用の防護用パッドは、野球用の防護パッド１６の構成とは逆の構成を用いてあって、表皮層２の上層、即ちＴ−シャツ８１側に貼付層８３を配置した構成になっており、Ｔ−シャツ８５の裏に貼付層８３、表皮層２、エネルギー吸収層１、肌に優しい素材層８４と連なる構成のチェスパッド代替用の防護パッド８０として用いるもので、身体側に肌触りの良い素材を用いるか、または下着の上に装着することで装着の違和感なく取着することができる。
【００７９】
図１８はその衣類への適用を紹介した事例で、裏返したＴ−シャツ８５に接着層が表皮側にあるチェスパッド代替用の防護パッド８０を用いるもの構成を示したものであって、裏返したＴ−シャツ８５に、チェスパッド代替用の防護パッド８０を貼付し、それを再度裏返して表面を出して防具１００として用いるものであって、このＴ−シャツに防護パッドを保持させているものの、裏返して使用するため、外部からはそれを察知されず、またチェスト・プロテクター・パッドを用いた時に感じた拘束や締付感あるいは重量を感じることなくモータースポーツを楽しむことが出来る。
【００８０】
また、本発明の防具１００は、生活用品としてシニア世代の介護用、または転倒しやすい患者の看護用の防具１００として、あるいは間接部を主とした疼痛部位の防護や、傷や皮膚疾患部位の保護にあわせて症状に適応した経皮薬剤を貼付層３に含ませることで、療治など多彩な部位と多彩な療治に用いることを可能としている。          
【００８１】
さらに、本発明の防具１００は、エネルギー吸収層１の厚み、およびまたは防護パッドの平面サイズの選択が使用者の自由で行えるため、適用する部位の強度レベルによって、個々人の痛みを感じる感触によって、または個々人の体格の差によって、最適な厚みとサイズの選択が可能な防護パッドであり、また、現行の防具１００に比して上記に示した様に、簡素で単純な構成を用いているため、軽量で安価な防護パッドの提供ができるため、使い切りや限られた回数の使用の目的に用いることができると同時に、単純な積層構造であるため、素材のリサイクルを行いやすい構成の防具１００とし、使用後の素材の再使用が行い易い構成である。
【符号の説明】
【００８２】
１：エネルギー吸収層
１ａ：エネルギー吸収層の分割領域
１ｂ：下面から主面の方向に行くに従って幅が狭くなる分割領域
１-１：エネルギー吸収層の主面
１-２：エネルギー吸収層の下面
２：表皮層
３：貼付層
４：被覆カバー
４-１：積層体の表面（５面）を保護する被覆カバー
４-２：積層体の周囲（４面）を保護する被覆カバー
５：溝
５-１：第一の方向に延伸した第１の溝
５-２：第二の方向に延伸した第２の溝
５-３：Ｉ字型の溝
５-４：Ｖ字型の溝
５-５：Ｕ字型の溝
５-６：逆Ｖ字型の溝
５-７：エネルギー吸収層の途中で留まる溝
５-８：予め貫通させて貼付層に到達した溝
６：溝部の開口部
７：接合部
８：身体（腕、膝など）の断面
９：外力（引張力）
９-１：横方向の外力（引張力）
９-２：縦方向の外力（引張力）
１０：応力（内部応力、残留応力）
１１：エネルギー吸収層の裂け
１２：主面と表皮層の界面                  
１３：潤滑層
１４：被覆層
１４-１：シート状の被覆層
１４-２：密着部
１５：身体の断面
１６：防護パッド（防具とする積層体のスポーツ用品、日用品としての呼称）
１７：噴霧のり
１８：（粘着剤/接着剤）リムーバー 
１９：リサイクル回収ボックス
２０：野球ファン   
２１：脛部-自打球防護パッド（脛部防護タイプ）
２２：足部-自打球防護パッド（足部防護タイプ）
２３：脛部-自打球防護パッド（脛骨側面防護タイプ）
２４：足部-自打球防護パッド（足部側面防護タイプ）
２５：脛部-自打球防護パッド（脛骨＋ふくら脛防護タイプ）
２６：足部-自打球防護パッド（足部全面防護タイプ）
３１：（肘＋上腕）部-デッドボール球防護パッド（肘＋上腕部防護タイプ）
３２：上腕部-デッドボール球防護パッド（上腕部防護タイプ）
３３：肘部-デッドボール球防護パッド（肘部防護タイプ）
３４：下腕部-デッドボール球防護パッド（下腕部防護タイプ）
４１：耳フラップヘルメット
４２：顎部-デッドボール球防護パッド（フェースガードタイプ）
４３：ヘルメット（耳フラップ無し）
４４：耳＋顎部-デッドボール球防護パッド（フェースガードタイプ）
５１：手の甲部-デッドボール球防護パッド
５２：手の甲部-デッドボール球防護パッド
５３：手の甲部-デッドボール球防護パッド
５４：指部-デッドボール球防護パッド
５５：野手（投手）用防具-打球防護パッド
６０：形状維持体
６１：六角のメタルメッシュの形状維持体
６２：四角のメタルメッシュの形状維持体
６３：メタル薄板の一部に肉厚形状部位を設置した形状維持体
６４：フレキシブル機能を持った形状維持体
６５：予め装着後の形状を付与して形成した形状維持体
６６：コマの連続体を用いて装着時に変形した形を保持する形状維持体
６７：予め装着後の形状を付与し形成した形状維持体
６８：肘部の表皮層そのものに予め装着後の形状を付与した形状維持体(表皮層)
７０：衣類
７１：衣類と身体の間のスペース
８０：チェスパッド代替用の防護パッド
８１：Ｔ−シャツ
８２：チェスト（プロテクター）パッド
８３：T−シャツ側の接着層
８４：肌触りの良い素材
８５：裏返しのＴ−シャツ
８６：使用者の好みの意匠のＴ−シャツ
１００：防具
１０１：積層体
【図１】
2020054626.tif 000003
【図２】
2020054626.tif 000004
【図３】
2020054626.tif 000005
【図４】
2020054626.tif 000006
【図５】
2020054626.tif 000007
【図６】
2020054626.tif 000008
【図７】
2020054626.tif 000009
【図８】
2020054626.tif 000010
【図９】
2020054626.tif 000011
【図１０】
2020054626.tif 000012
【図１１】
2020054626.tif 000013
【図１２】
2020054626.tif 000014
【図１３】
2020054626.tif 000015
【図１４】
2020054626.tif 000016
【図１５】
2020054626.tif 000017
【図１６】
2020054626.tif 000018
【図１７】
2020054626.tif 000019
【図１８】
2020054626.tif 000020
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
主面を有するエネルギー吸収層と、前記主面上に設けられ前記エネルギー吸収層の少なくとも前記主面側を覆う表皮層と、前記エネルギー吸収層の下面に設けられた貼付層とを含む積層体と、
前記積層体の側面を保護する被覆カバーと、を備え
前記表皮層と前記エネルギー吸収層の端部は、前記被覆カバーと接合されており、
前記エネルギー吸収層の少なくとも一部が、前記主面に交差する方向に延伸する溝により複数の分割領域に分割されており、
前記エネルギー吸収層の前記主面と前記表皮層の界面は接合されておらず自由に可動するように構成されていることを特徴とする防具。
【請求項２】
前記溝は、前記エネルギー吸収層を主面から下面まで貫通していることを特徴とする請求項１に記載の防具。
【請求項３】
前記溝は、前記主面に第一の方向に沿って複数の第１の溝、及び前記第一の方向とは異なる第二の方向に沿って複数の第２の溝が形成されていることを特徴とする請求項１又は２に記載の防具。
【請求項４】
前記分割領域は、前記表皮層との間に発生する摩擦係数を低減するために、下面から主面の方向にいくに従って幅が狭くなることを特徴とする請求項１〜３のいずれか１項に記載の防具。
【請求項５】
前記複数の分割領域の表面を覆う被覆層と、
前記被覆層を介して、前記複数の分割領域を接続する密着部と、をさらに備えることを特徴とする請求項１〜４のいずれか１項に記載の防具。
【請求項６】
前記積層体の装着後の形状を維持するための形状維持体をさらに備えることを特徴とする請求項１〜５のいずれか１項記載の防具。  
【請求項７】
前記貼付層は、基材及び貼付剤とから構成されており、前記基材は前記形状維持体を兼ねることを特徴とする請求項６に記載の防具。
【請求項８】
前記エネルギー吸収層と前記表皮層との間に潤滑層が設けられていることを特徴とする請求項１〜７のいずれか１項に記載の防具。
【請求項９】
前記表皮層は、一定以上の圧力を感じた部分の色が変化することを特徴とする請求項１〜８のいずれか１項に記載の防具。